(57)【要約】【課題】  連続する工程の中で、効率よく複数のパネルにシートを接合する方法を提供する。【解決手段】  複数のパネル１を送り方向Ｘに一定間隔をあけて搬送しながら、複数のパネル１にまたがってその上面にシート２を上載する工程と、パネル１間のシート２をパネル１上方に持ち上げる工程と、持ち上げられたシート２の両側を切断する工程と、を備えたパネルへのシート接合方法であり、パネル１間のシート２を持ち上げ棒３を用いてパネル１上方に持ち上げ、持ち上げられたシート２を持ち上げ棒３の下辺に沿って刃物４を案内することにより、持ち上げられたシート２の両側を切断することを特徴とするパネルへのシート接合方法。【選択図】図１
2006144505.tif 000002
【特許請求の範囲】
【請求項１】
複数のパネルを送り方向に一定間隔をあけて搬送しながら、複数のパネルにまたがってその上面にシートを上載する工程と、パネル間のシートをパネル上方に持ち上げる工程と、持ち上げられたシートの両側を切断する工程と、を備えることを特徴とするパネルへのシート接合方法。
【請求項２】
パネル間のシートを持ち上げ棒を用いてパネル上方に持ち上げ、持ち上げられたシートを持ち上げ棒の下辺に沿って刃物を案内することにより、持ち上げられたシートの両側を切断することを特徴とする請求項１記載のパネルへのシート接合方法。
【請求項３】
シートの持ち上げる高さもしくは切断する高さを変化させることで、パネルに対するシートの余剰量を調節できるようにしたことを特徴とする請求項１又は２に記載のパネルへのシート接合方法。
【請求項４】
パネルに上載するシートが、剥離自在の養生シートとなっていることを特徴とする請求項１〜３のいずれか一つに記載のパネルへのシート接合方法。
【発明の詳細な説明】
【技術分野】
【０００１】
本願発明は、パネル表面にシートを接合する方法に関する。
【背景技術】
【０００２】
床材、壁材やバス壁などの建築用材として、平面状のパネルが一般的に用いられている。このパネルには、壁紙や養生シートといったシートを接合することがしばしばある。
【０００３】
従来のパネルへのシートの接合方法としては、あらかじめシートを所定の大きさに切断しておいてパネルに接合するか、もしくは、シートをパネルよりも大きめに切断してパネルに接合し、その後パネル外周の余ったシートをパネルに合わせて切り取ることが一般的であった。
【０００４】
一方、実開平５−１３３６３号公報には、養生シート用カッターが報告されている。これは、パネルに貼り付ける前の養生シートを切断するためのカッターであり、確実かつ安全に養生シートを切断することができる。
【０００５】
しかしながら、従来の方法では、複数のパネルにシートを接合しようとしたとき、それぞれのパネルに対して個別にシートを接合しなくてはならないため、非常に効率が悪かった。
【特許文献１】実開平５−１３３６３号公報
【発明の開示】
【発明が解決しようとする課題】
【０００６】
本願発明は、上記背景技術に鑑みて発明されたものであり、その課題は、連続する工程の中で、効率よく複数のパネルにシートを接合する方法を提供することである。
【課題を解決するための手段】
【０００７】
上記課題を解決するために、本願発明は、複数のパネルを送り方向に一定間隔をあけて搬送しながら、複数のパネルにまたがってその上面にシートを上載する工程と、パネル間のシートをパネル上方に持ち上げる工程と、持ち上げられたシートの両側を切断する工程と、を備えることを特徴とするパネルへのシート接合方法である。
【発明の効果】
【０００８】
本願発明のパネルへのシート接合方法においては、複数のパネルを送り方向に一定間隔をあけて搬送しながらシートを接合するために、複数のパネルに対して効率よくシートを接合でき、又、パネル間のシートをパネル上方に持ち上げてその両側を切断するために、持ち上げたシートの進行方向に対して前方パネル側と後方パネル側の二辺を一度に切断できるために、個々のパネルに合わせてシートを一辺ずつ切断するよりも効率がよく、又、シート切断の際に誤ってパネルを傷つけることが少なくなる。
【発明を実施するための最良の形態】
【０００９】
図１は、本願の請求項１〜４すべての発明に対応した実施形態であるパネルへのシート接合方法を示している。この実施形態のパネルへのシート接合方法は、図１に示す如く、複数のパネル１を送り方向Xに一定間隔をあけて搬送しながら、複数のパネル１にまたがってその上面にシート２を上載する工程と、パネル１間のシート２をパネル１上方に持ち上げる工程と、持ち上げられたシート２の両側を切断する工程と、を備えている。
【００１０】
又、パネル１間のシート２を持ち上げ棒３を用いてパネル１上方に持ち上げ、持ち上げられたシート２を持ち上げ棒３の下辺に沿って刃物４を案内することにより、持ち上げられたシート２の両側を切断している。
【００１１】
又、シート２の持ち上げる高さもしくは切断する高さを変化させることで、パネル１に対するシート２の余剰量を調節できるようにしている。
【００１２】
以下、この実施形態のパネルへのシート接合方法を、より具体的詳細に説明する。この実施形態のパネルへのシート接合方法では、パネル１は木製、樹脂製、金属製やガラス製などの平面板状であり、床材、壁材や外壁材等の建築用パネルである。このパネル１は、図示はしていないが、ベルトコンベアーなどの搬送装置で複数のパネル１が一定方向に運ばれており、パネル１間には送り方向Xに対して一定の間隔が設けられている。続いて、これらパネル１の上面に、シート２が上載される（図１（a））。このシート２はロール状で、パネル１上で回転しながら、複数のパネル１にまたがって上載される（図１（ｂ））。このシート２としては、壁紙や透明で剥離自在な養生シート５などが挙げられる。
【００１３】
シート２が上載されたパネル１は更に搬送され、パネル１間のシート２がパネル１上方に持ち上げられる（図１（ｅ））。その持ち上げ手段としては、この場合、持ち上げ棒３を用いているが、フック状の金具やピアノ線など、パネル１間のシート２をパネル上方に持ち上げることができればよい。
【００１４】
持ち上げ棒３によってパネル１間のシート２が上方に持ち上げられた場合、持ち上げられたシート２は、刃物４を送り方向Ｘに対して垂直な方向から、持ち上げ棒３の下辺に沿って案内することで切断される（図１（ｆ））。このとき、持ち上げられたシート２の持ち上げ棒３の進行方向に対して前方パネル側と後方パネル側の両側を一度に切断する。この場合、刃物４は直線状の物を用い、パネル１に対して略平行に切断しているが、刃物４の形状は特にこれに限らず、持ち上げられたシート２の両側が切断できる機能を有していればよい。又、シート２の切断手段も刃物に限らず、レーザーや電熱線等の切断手段を用いてもよい。
【００１５】
このパネル１間のシート２の切断においては、パネル１に対する持ち上げ棒３の持ち上げ高さ、切断高さ、パネル１間の間隔及び持ち上げ棒３の太さは自由に設定できるようになっており、これらを調節することで、パネル１に対するシート２の余剰量を調節できるようになっている。この場合、シート２がちょうどパネル１の上面の送り方向Ｘに垂直な辺に合わせて切断されるように、パネル１の間隔、パネル１間のシート２の持ち上げ高さや持ち上げ棒３の太さが設定されているが（図１（ｈ））、これらを調節することにより、シート２をパネル１に対して小さくもしくは大きく切断することも可能である。以上の工程を経て、シート２を接合したパネル１を、効率よく製造することができる。
【００１６】
従って、この実施形態のパネルへのシート接合方法においては、複数のパネル１を送り方向Ｘに一定間隔をあけて搬送しながらシート２を接合するために、複数のパネル１に効率よくシート２を接合できる。又、複数のパネル１にまたがって上載されたシート２のパネル１間の部分を持ち上げ、シート２の両側を切断するため、持ち上げられたシートの進行方向に対して前方パネル側と後方パネル側とを二辺同時に切断するために、個々のパネル１に合わせてシート２を一辺ずつ切断するのに比べて効率がよく、又、パネル１間のシート２を持ち上げてその両端を切断するため、シート２の切断時に誤ってパネル１を傷つけにくい。
【００１７】
又、パネル１間のシート２を持ち上げ棒３を用いて持ち上げ、刃物４をその下辺に沿って案内することにより切断するため、シート２の切断時に刃物４がぶれることなくまっすぐに切断することができ、シート２が厚いときや硬いときには特に有効である。
【００１８】
又、シート２の持ち上げる高さもしくは切断する高さを変化させることで、パネル１に対するシート２の余剰量を調節でき、同じ装置を用いながら、パネル１の使用用途に応じてパネル１に対してシート２を大きく切断したり、パネル１と同じ大きさに切断したりできる。
【００１９】
なお、本実施形態において、シート２に剥離自在な養生シート５を使用した場合、パネル施工時には養生シート５を貼り付けたままにしておき、施工後に養生シート５をはがすことで、施工時にパネル１が傷つくことを防ぐことができる。又、パネル１に対する養生シート５の余剰量を調節できるため、床材などのようにパネル１の端面を接合して施工する場合、パネル１に合わせて養生シート５を切断することにより、パネル１施工後、養生シート５がはがしやすくなる。一方、机やキッチンカウンター用のパネル１など、端面まで養生シート５を接合したい場合には、パネル１よりも養生シート５を大きく切断することで、端面まで巻き込んで養生シート５を接合することができる。
【図面の簡単な説明】
【００２０】
【図１】本願発明の実施形態であるパネルへのシート接合方法を示す工程図。
【符号の説明】
【００２１】
１  パネル
２  シート
３  持ち上げ棒
４  刃物
５  養生シート
【図１】
2006144505.tif 000003